(57)【要約】【課題】返信用の封書作成用紙片に記入した個人情報が、外部から認識できない状態で表示できる３つ折り封書用帳票を提供する。【解決手段】横方向に長い矩形状を有する第１のシート状基材と、前記第１のシート状基材と同一寸法で形成され、前記第１のシート状基材上に貼付されている第２のシート状基材とからなり、前記第１のシート状基材と前記第２のシート状基材とが重ねられた状態で、横方向に略等間隔で３つ折りさせて封筒を作成する３つ折り封書用帳票であって、第１のシート状基材及び前記第２のシート状基材の上下端縁付近には、各々上下端辺から所定間隔をあけて横方向に切り取りミシンが形成され、第１のシート状基材は、略等間隔に３つ折りするための２つの折り畳み予定線により左側から順番に、第１紙片部、第２紙片部、第３紙片部、に区分けされた紙片部を有する。【選択図】        図１
2010023263.tif 000002
【特許請求の範囲】
【請求項１】
横方向に長い矩形状を有する第１のシート状基材と、前記第１のシート状基材と同一寸法で形成され、前記第１のシート状基材上に貼付されている第２のシート状基材とからなり、前記第１のシート状基材と前記第２のシート状基材とが重ねられた状態で、横方向に略等間隔で３つ折りさせて封筒を作成する３つ折り封書用帳票であって、
前記第１のシート状基材及び前記第２のシート状基材の上下端縁付近には、各々上下端辺から所定間隔をあけて横方向に切り取りミシンが形成され、
前記第１のシート状基材は、略等間隔に３つ折りするための２つの折り畳み線により、左側から順番に、第１紙片部、第２紙片部、第３紙片部、に区分けされた紙片部を有し、
前記第２のシート状基材は、略等間隔に３つ折りするための２つの折り畳み線により、左側から順番に、第４紙片部、第５紙片部、第６紙片部、に区分けされた紙片部を有し、
前記第１紙片部の上面には、上下端辺及び左側端辺に沿って三方向に粘着剤が塗布された粘着剤塗布領域と、前記粘着剤塗布領域を除く領域に接着剤で接着された接着領域とを有し、
前記第１紙片部と前記第２紙片部との境の折り畳み線の部分には、前記第１のシート状基材に第１の切り込み線が形成され、
前記第２紙片部には、前記第１の切り込み線と平行及び所定間隔をあけて第２の切り込み線が形成され、更に、前記第１の切り込み線と前記第２の切り込み線との間の領域に剥離可能な擬似接着剤が塗布された第１の擬似接着剤塗布領域と、第３紙片部との境の折り畳み線に沿って剥離可能な擬似接着剤が塗布された第２の擬似接着剤塗布領域と、前記第２の擬似接着剤塗布領域と第２の切り込み線との間の領域に接着剤で接着された接着領域とを有し、
前記第３紙片部の上面には、上下端辺及び右側端辺に沿って三方向に剥離剤が塗布された剥離剤塗布領域と、前記剥離剤塗布領域を除く領域に接着剤で接着された接着領域とを有し、更に、前記第３紙片部には、前記剥離剤塗布領域と前記接着領域との境に切り込み線が形成され、
前記第４紙片部の裏面であって、前記第１紙片部の粘着剤塗布領域と重なり合う領域に剥離剤が塗布された剥離剤塗布領域を有すると共に、前記第４紙片部の剥離剤塗布領域の周辺部に切り込み線が形成され、
前記第５紙片部であって、前記第２紙片部の第２の擬似接着剤塗布領域と接着領域との境と重なる位置に切り込み線が形成され、
前記第６紙片部の裏面には、前記第３紙片部の剥離剤塗布領域と重なる領域に粘着剤が塗布された粘着剤塗布領域を有することを特徴とする３つ折り封書用帳票。
【請求項２】
前記第２紙片部と前記第３紙片部との境部分と、前記第４紙片部と前記第５紙片部との境部分とには、切り取りミシンが形成されていることを特徴とする請求項１記載の３つ折り封書用帳票。
【発明の詳細な説明】
【技術分野】
【０００１】
本発明は、３つに折り畳んで封書を作成するための帳票であって、内部に表示された情報を、第三者が外部から透かして盗み見ることができないようにした３つ折り封書用帳票に関する。
【背景技術】
【０００２】
従来、住所変更届、講座振替申し込み、アンケート等を郵送にて行なう場合には、封筒に返信用の葉書や、返信用の封筒を書類とともに同封して顧客に送付し、それらを受け取った顧客が、返信用の葉書に必要事項を記入して返信したり、また同封した封書に必要事項を記入した書類を入れて返送するなどしている。
しかしながら、封筒に返信用の葉書を同封して返送してもらう場合には、返信葉書に記入された内容が第三者に簡単に見られてしまうので、個人情報の漏洩の危険性があると共に、葉書であることから記入スペースに限りがあり返信情報量が少なく、多くの情報を表示する必要がある場合には使用できないという問題がある。
また、封筒を予め同封させて顧客に郵送する場合には、封筒を用意するコストや手間がかかるという問題がある。
【０００３】
また、例えば、入会申込書などの申込書を封書化させて郵送する場合には、図１０に示すように、申込者側が不要部分の切り取りを行い、所定部分に糊付けを行なった後に巻き折りすることで、返信用の封書を作成することができるように構成された巻き折り加工用紙３０などが知られている。
このような返信用の封書作成用紙を有する巻き折り用紙については、既に種々の仕様のものが知られている。（例えば、特許文献１〜４参照）
【０００４】
【特許文献１】特開２００２−５４３２３号公報
【特許文献２】特開２００３−２００６８０号公報
【特許文献３】特開２００３−４３２７１５号公報
【特許文献４】特開２００６−４４０８０号公報
【０００５】
しかしながら、従来の返信用の封書作成用紙を有する用紙は、返信用の封書を作成する際に、糊代部分に顧客が自分で糊付けを行なわなければならないので不便であるという問題がある。
また、顧客が、返信用の封書作成用紙片に個人情報を直接記入した場合には、筆圧により用紙に凹凸が形成されたり、筆跡が封書の外側から透かして見えたりして、記入事項が認識しやすく、個人情報が漏洩する危険性が高いという問題がある。
【発明の開示】
【発明が解決しようとする課題】
【０００６】
そこで、本発明は、返信用の封書を作成する際に、糊代部分に顧客が自分で糊付けを行なう必要がなく、また、顧客が返信用の封書作成用紙片に記入した個人情報が、外部から認識できない状態で表示でき、更に、葉書を使用した場合よりも多くの情報表示スペースを確保することができる３つ折り封書用帳票を提供する。
【課題を解決するための手段】
【０００７】
本発明の３つ折り封書用帳票は、横方向に長い矩形状を有する第１のシート状基材と、前記第１のシート状基材と同一寸法で形成され、前記第１のシート状基材上に貼付されている第２のシート状基材とからなり、前記第１のシート状基材と前記第２のシート状基材とが重ねられた状態で、横方向に略等間隔で３つ折りさせて封筒を作成する３つ折り封書用帳票であって、前記第１のシート状基材及び前記第２のシート状基材の上下端縁付近には、各々上下端辺から所定間隔をあけて横方向に切り取りミシンが形成され、前記第１のシート状基材は、略等間隔に３つ折りするための２つの折り畳み線により、左側から順番に、第１紙片部、第２紙片部、第３紙片部、に区分けされた紙片部を有し、前記第２のシート状基材は、略等間隔に３つ折りするための２つの折り畳み線により、左側から順番に、第４紙片部、第５紙片部、第６紙片部、に区分けされた紙片部を有し、前記第１紙片部の上面には、上下端辺及び左側端辺に沿って三方向に粘着剤が塗布された粘着剤塗布領域と、前記粘着剤塗布領域を除く領域に接着剤で接着された接着領域とを有し、前記第１紙片部と前記第２紙片部との境の折り畳み線の部分には、前記第１のシート状基材に第１の切り込み線が形成され、前記第２紙片部には、前記第１の切り込み線と平行及び所定間隔をあけて第２の切り込み線が形成され、更に、前記第１の切り込み線と前記第２の切り込み線との間の領域に剥離可能な擬似接着剤が塗布された第１の擬似接着剤塗布領域と、第３紙片部との境の折り畳み線に沿って剥離可能な擬似接着剤が塗布された第２の擬似接着剤塗布領域と、前記第２の擬似接着剤塗布領域と第２の切り込み線との間の領域に接着剤で接着された接着領域とを有し、前記第３紙片部の上面には、上下端辺及び右側端辺に沿って三方向に剥離剤が塗布された剥離剤塗布領域と、前記剥離剤塗布領域を除く領域に接着剤で接着された接着領域とを有し、更に、前記第３紙片部には、前記剥離剤塗布領域と前記接着領域との境に切り込み線が形成され、前記第４紙片部の裏面であって、前記第１紙片部の粘着剤塗布領域と重なり合う領域に剥離剤が塗布された剥離剤塗布領域を有すると共に、前記第４紙片部の剥離剤塗布領域の周辺部に切り込み線が形成され、前記第５紙片部であって、前記第２紙片部の第２の擬似接着剤塗布領域と接着領域との境と重なる位置に切り込み線が形成され、前記第６紙片部の裏面には、前記第３紙片部の剥離剤塗布領域と重なる領域に粘着剤が塗布された粘着剤塗布領域を有することを特徴とする。
【０００８】
また、本発明の３つ折り封書用帳票は、前記第２紙片部と前記第３紙片部との境部分と、前記第４紙片部と前記第５紙片部との境部分とには、切り取りミシンが形成されていることを特徴とする。
【発明の効果】
【０００９】
したがって、本発明の３つ折り封書用帳票は、第１のシート状基材と第２のシート状基材とに形成された切り込み線から区分けされる外側の部分を剥離させて、予め塗布された粘着剤を用いて、３つ折り封書を作成できるので、返信用の封書を作成する際に、糊代部分に顧客が自分で糊付けを行なう必要がなく、また、第１のシート状基材と第２のシート状基材とが重ね合わされた構成を有していることから、顧客が返信用の封書作成用紙片に記入した個人情報を、外部から認識できない状態で表示でき、更に、葉書を使用した場合よりも多くの情報表示スペースを確保することができるという効果がある。
【００１０】
また、本発明の３つ折り封書用帳票は、第２紙片部と第３紙片部との境部分と、第４紙片部と第５紙片部との境部分とに切り取りミシンが形成されているので、封書を開封させた後に、不必要な部分を切り取ることができる。
【発明を実施するための最良の形態】
【００１１】
以下、本発明の実施形態に係る３つ折り封書用帳票を図面に基づいて詳細に説明する。
図１には、本発明の実施形態に係る３つ折り封書用帳票を表面側から見た場合の平面図であり、図２には、本発明の実施形態に係る３つ折り封書用帳票を横方向に回転させた裏面側から見た場合の平面図であり、図３は、本発明の実施形態に係る３つ折り封書用帳票を表面側から見た場合であって、第１のシート状基材と第２のシート状基材とを分離させた状態を示す平面図であり、図４は、本発明の実施形態に係る３つ折り封書用帳票を裏面側から見た場合であって、第１のシート状基材と第２のシート状基材とを分離させた状態を示す平面図であり、図５は、図１のＡ−Ａ線断面図であり、図６は、図１のＢ−Ｂ線断面図が示されている。
【００１２】
実施形態に係る３つ折り封書用帳票１は、図１乃至図６に示すように、横方向に長い矩形状を有する第１のシート状基材２と、第１のシート状基材２と同一寸法で形成され、第１のシート状基材２上に貼付されている第２のシート状基材３とから構成されている。
そして、３つ折り封書用帳票１から封筒を作成する場合には、第１のシート状基材２と第２のシート状基材３とが重ねられた状態で横方向に略等間隔で３つ折りさせて封筒を作成する。
尚、図１の平面図では、第２のシート状基材３が、第１のシート状基材２上に貼付されていることから第２のシート状基材３の表面側だけが示されている。
【００１３】
図３には、３つ折り封書用帳票１の構成をわかりやすくするために、第１のシート状基材２から第２のシート状基材３を剥離させて分離させた状態を示す平面図が示されている。
図３に示すように、第１のシート状基材２の上下端縁付近には、各々上下端辺から所定間隔をあけて横方向に切り取りミシン４ａ，４ｂが形成されている。
また、第２のシート状基材３の上下端縁付近にも、各々上下端辺から所定間隔をあけて横方向に切り取りミシン５ａ，５ｂが形成されている。
また、図５の断面図に示すように、第１のシート状基材２は、略等間隔に３つ折りすることで区分けされる紙片として、左側から順番に、第１紙片部２ａ、第２紙片部２ｂ、第３紙片部２ｃ、に区分けされた紙片部を有し、また、第２のシート状基材３は、略等間隔に３つ折りすることで区分けされる紙片として、左側から順番に、第４紙片部３ａ、第５紙片部３ｂ、第６紙片部３ｃ、に区分けされた紙片部を有する。
【００１４】
図３に示すように、第１のシート状基材２の第１紙片部２ａの上面には、第１紙片部２ａの上下端辺及び左側端辺に沿って、三方向に粘着剤８が塗布された粘着剤塗布領域が設けられ、更に、第１紙片部２ａの上面において粘着剤塗布領域を除く領域に、接着剤９で接着される接着領域を有している。
この粘着剤８が塗布された粘着剤塗布領域は、この粘着剤塗布領域に重ねられる第２のシート状基材３の第４紙片部３ａの一部分を剥離した後、表出された粘着剤８により密封された３つ折り封書とする際に用いられる。
また、接着剤９で接着される接着領域は、第２のシート状基材３の第４紙片部３ａの所定部分と接着状態とするために用いられる。
【００１５】
図３、図５に示すように、第１のシート状基材２において、第１紙片部２ａと第２紙片部２ｂとの境の折り畳み線の部分には、第１のシート状基材２に第１の切り込み線６ａが形成されている。
更に、第２紙片部２ｂには、第１の切り込み線６ａと平行に、また所定間隔をあけて第２の切り込み線６ｃが形成されている。
第１のシート状基材２において、第１の切り込み線６ａと、第２紙片部２ｂに形成されている第２の切り込み線６ｃとの間の領域には、剥離可能な擬似接着剤１０が塗布された第１の擬似接着剤塗布領域が設けられている。
【００１６】
また、第１のシート状基材２の第２紙片部２ｂの表面において、第３紙片部２ｃとの境の折り畳み線６ｂに沿って、剥離可能な擬似接着剤１１が塗布された第２の擬似接着剤塗布領域が設けられている。
更に、第１のシート状基材２の第２紙片部２ｂの表面において、剥離可能な擬似接着剤１１が塗布された第２の擬似接着剤塗布領域と、第２の切り込み線６ｃとの間の領域には、接着剤１２で接着された接着領域を有している。
【００１７】
次に、第１のシート状基材２の第３紙片部２ｃの上面には、上下端辺及び右側端辺に沿って三方向に剥離剤１３が塗布された剥離剤塗布領域を有している。
また、第３紙片部２ｃの上面において、剥離剤１３が塗布された剥離剤塗布領域を除く領域に、接着剤１４で接着された接着領域を有している。
そして、第３紙片部２ｃには、剥離剤１３が塗布された剥離剤塗布領域と、接着剤１４で接着された接着領域との境に切り込み線１５がコ字状に形成されている。
【００１８】
次に、第２のシート状基材３について説明する。
第２のシート状基材３について、第１のシート状基材２との接着状態をわかりやすく説明するために、図４には、図３に示す状態から横方向に１８０度回転させて、第１のシート状基材２を第２のシート状基材３の上側に位置するようにして、第２のシート状基材３の上側に第１のシート状基材２が重ねられた状態から、シート状基材同士を分離させた状態を示す図が示されている。
尚、図４に基づいて第２のシート状基材３を説明する場合には、図４に示す如く、第２のシート状基材３の表側を上面として以下に説明する。
【００１９】
図４に示すように、第２のシート状基材３の上下端縁付近には、各々上下端辺から所定間隔をあけて横方向に切り取りミシン５ａ，５ｂが形成されている。
また、第２のシート状基材３は、略等間隔に３つ折りすることで区分けされる紙片として、右側から順番に、第４紙片部３ａ、第５紙片部３ｂ、第６紙片部３ｃ、に区分けされる。
【００２０】
まず、図４に示すように、第２のシート状基材３の第６紙片部３ｃの上面には、第６紙片部３ｃの上下端辺及び左側端辺に沿って、三方向に粘着剤１６が塗布された粘着剤塗布領域が設けられ、更に、第２のシート状基材３の第６紙片部３ｃの上面において粘着剤塗布領域を除く領域に、接着剤１７で接着される接着領域を有している。
この粘着剤１６が塗布された粘着剤塗布領域は、この粘着剤塗布領域に重ねられる第１のシート状基材２の第３紙片部２ｃの一部分を剥離した後、表出された粘着剤１６により密封された３つ折り封書とする際に用いられる。
また、接着剤１７で接着される接着領域は、第１のシート状基材２の第３紙片部２ｃの所定部分と接着状態とするために用いられる。
【００２１】
第２のシート状基材３において、第５紙片部３ｂと第６紙片部３ｃとの境の折り畳み線の部分には、第２のシート状基材３に第３の切り込み線７ａが形成されている。
更に、第５紙片部３ｂには、第３の切り込み線７ａと平行に、また所定間隔をあけて第４の切り込み線７ｃが形成されている。
第２のシート状基材３において、第３の切り込み線７ａと、第５紙片部３ｂに形成されている第４の切り込み線７ｃとの間の領域には、剥離可能な擬似接着剤１８が塗布された第３の擬似接着剤塗布領域が設けられている。
【００２２】
また、第２のシート状基材３の第５紙片部３ｂの表面において、第４紙片部３ａとの境の折り畳み線７ｂに沿って、剥離可能な擬似接着剤１９が塗布された第４の擬似接着剤塗布領域が設けられている。
更に、第２のシート状基材３の第５紙片部３ｂの表面において、剥離可能な擬似接着剤１９が塗布された第４の擬似接着剤塗布領域と、第４の切り込み線７ｃとの間の領域には、接着剤２０で接着された接着領域を有している。
【００２３】
次に、第２のシート状基材３の第４紙片部３ａの上面には、上下端辺及び右側端辺に沿って三方向に剥離剤２１が塗布された剥離剤塗布領域を有している。
また、第４紙片部３ａの上面において、剥離剤２１が塗布された剥離剤塗布領域を除く領域に、接着剤２２で接着された接着領域を有している。
そして、第４紙片部３ａには、剥離剤２１が塗布された剥離剤塗布領域と、接着剤２２で接着された接着領域との境に切り込み線２３がコ字状に形成されている。
【００２４】
そして、３つ折り封書用帳票１は、第１のシート状基材２と第２のシート状基材３とが重ねられた状態で、各々の接着剤９，１２，１４，１７，２０，２２で接着される複数の接着領域において、剥離できない状態で接着されている。
また、第１のシート状基材２と第２のシート状基材３とが重ねられた状態において、各々の粘着剤８，１１，１６，１９が塗布された複数の粘着剤塗布領域と、これらの領域に重ねられている各々の剥離剤１０，１３，１８，２１が塗布された複数の剥離剤塗布領域とにおいて、第１のシート状基材２及び第２のシート状基材３の複数の一部分が、剥離できる状態で貼付されている。
これにより、各々の粘着剤８，１６が塗布された複数の粘着剤塗布領域において、３つ折り封書用帳票１を３つ折りさせた際に、各々の粘着剤８，１６により密封状態の封書を作成できるように構成されている。
【００２５】
また、第１のシート状基材２及び第２のシート状基材３に形成されている複数の切り込み線１５，２３は、第１のシート状基材２及び第２のシート状基材３の一部分を切り離して、粘着剤８，１６が塗布された複数の粘着剤塗布領域を表出させることができるように形成されている。
【００２６】
なお、剥離可能な擬似接着剤１０，１１，１８，１９は、密着面の密着及び再剥離を容易にするように調整されており、以下に説明する粘着主剤、粘着力調整剤、添加物等が以下の割合で混合されている。
粘着主剤・・・・・・１００重量部
粘着力調整剤
針状物質の場合・・・・・１０〜１００（好ましくは１０〜５０）重量部
微粒状物質の場合・・・・０〜５０（好ましくは５〜３０）重量部
上記両物質混合の場合・・１０〜１００重量部
添加物
ワックス・・・・・・・・０．０１〜２０重量部
紫外線吸収剤・・・・・・微量
消泡剤・・・・・・・・・微量
消泡助剤・・・・・・・・微量
エマルジョン化成分
水・・・・・・・・・・・１００〜５００（好ましくは２００〜３００）重量部
乳化剤・・・・・・・・・０．５〜２重量部
樹脂・・・・・・・・・・１〜５０重量部
【００２７】
粘着主剤は、天然ゴム（ＮＲ）、エステル化天然ゴム、スチレンブタジエンゴム（ＳＢＲ）、クロロプレンゴム、ポリ酢酸ビニル、ポリメチルメタクリレート（ＰＭＭＡ）等が挙げられ、または、これらの混合物が挙げられる。
これらの粘着主剤の混合にあたっては、その混合割合を適宜調整することによって、感圧粘着剤同士の自着性を保持しつつ、基材との密着性を自着性より大きくすることができる。
【００２８】
好ましくは、加圧によって感圧粘着剤同士の自着性を発現する性質の高い天然ゴムに、基材との密着性、即ちアンカー効果を高める目的でポリメチルメタクリレートやスチレンブタジエンゴムを添加したものが挙げられる。
ポリメチルメタクリレートは単独で用いるより、他の粘着主剤と混合して用いるとよい。
このような粘着主剤は、通常粒径０．１μｍ〜３μｍ程度の微粒状のものが使用される。
【００２９】
粘着力調整剤は、粘着主剤の粘着力を調整するために混合され、針状物質若しくは微粒状物質又はこれらの混合物が用いられる。
また、針状物質としては、無機物質、有機物質のいずれでもよく、その形状が略針状であればよく、偏平状、螺旋状、鱗片状等の様々な形態を持つものから任意に選択されるが、針状物質が特に好適である。
針状物質として、平均長さは１０μｍ〜２０μｍ、また平均径としては０．２μｍ〜０．５μｍ程度のものが好ましい。
針状物質は、感圧粘着剤をエマルジョンとし、塗布剤とした時の沈降性を低くするために見掛け比重が０．０５〜０．６のものが好ましい。
【００３０】
微粒状物質は、マイクロシリカ、合成ゼオライト、活性アルミナゲル、炭酸カルシウム、酸化亜鉛、酸化チタン、タルク、クレー、カオリン、活性白土、アクリルビーズ、澱粉、セルロース、シラスバルーン等が挙げられ、その粒径は、１０μｍ〜３０μｍ、好ましくは０．５μｍ〜１０μｍの範囲にあるものが好適である。
また、針状物質と共に添加することにより、微粒状物質の添加量を少なくすることができると共に微粒状物質の粉落ちを防止することができる。
【００３１】
添加物として、ハンドリング性、ＮＩＰの搬送性能等の滑り性向上又は耐ブロッキング性向上のために、ポリエチレンワックス、カルナウバワックス等のワックス類、劣化防止のために、アンモニア、エタノールアミン等の紫外線吸収剤などを添加してもよい。
また、消泡剤として、非イオン系界面活性剤、アニオン系界面活性剤（鉱物油系）を添加したり、さらに、消泡助剤として、シリカ等を添加してもよい。
【００３２】
前述した粘着主剤、粘着力調整剤、添加物は、水等の媒体に分散してエマルジョン状態で基材に塗布される。
エマルジョン化の際には、必要に応じて乳化剤が添加される。乳化剤としては、オレイン酸石鹸、ひまし油カリウム石鹸、カゼイン、にかわ、ゼラチン等を使用できる。
また、エマルジョン化したときの粘着主剤の２次凝集防止のために、粘着主剤と親和性を有しない樹脂を添加することができる。
この樹脂としては、水分散性高分子ポリエステル、熱可塑性エラストマー、また、低密度ポリエチレン等の低分子ポリエチレン、アイオノマー、酢酸ビニル−オレフィン共重合体等が好適に使用できる。
【００３３】
このような感圧粘着剤の塗布量は、乾燥後で０．１ｇ／ｍ２〜１０ｇ／ｍ２、好ましくは１．０ｇ／ｍ２〜３．０ｇ／ｍ２が好ましい。
この範囲内であれば、感圧粘着剤上から印刷あるいは印字した時にインキが感圧粘着剤中を透過し、基材にまで到達させることができ、剥離した場合の印字層の転移を防止できる。
更には、ブロッキング、パイリング（粉落ち）等も防止でき、充分な密着性と印字性が得られる。
【００３４】
また、剥離可能な擬似接着剤が塗布された擬似接着剤塗布領域に設けられる擬似接着層としては、上記の他に、接着剤と離型成分を添加したオフセットインキを組合わせたものや、剥離性を有する接着剤などを用いても良い。
【００３５】
次に、３つ折り封書用帳票１の使用方法を、図７〜図９に基づいて説明する。
３つ折り封書用帳票１の使用者は、第１のシート状基材２及び第２のシート状基材３に所望の伝達情報を記入、またはプリンタで印字するなどして表示すると共に、第２のシート状基材３の第６紙片部３ｃの表面に宛先情報を表示させる。
【００３６】
そして、図７に示すように、第２のシート状基材３の第４紙片部３ａから、切り込み線２３で区画された外側の部分３ａ−１を剥離させる。
これにより、第１のシート状基材２の第１紙片部２ａにおいて、粘着剤８が塗布された複数の粘着剤塗布領域が表出して、粘着剤８による貼り付けが可能な状態となる。
また、同様に第１のシート状基材２の第３紙片部２ｃから、切り込み線１５で区画された外側の部分２ｃ−１も剥離させる。
これにより、第２のシート状基材３の第６紙片部３ｃにおいて、粘着剤１６が塗布された複数の粘着剤塗布領域が表出して、粘着剤１６による貼り付けが可能な状態となる。
【００３７】
次に、３つ折り封書用帳票１を、第３の切り込み線７ａと第１の切り込み線６ａとが重なっている部分から折り畳み、更に、折り畳み線７ｂと第１の切り込み線６ｂとが重なっている部分から折り畳むことで、３つ折りする。
そして、各々の粘着剤８，１６が塗布された複数の粘着剤塗布領域を、折り畳まれ重ね合わされた部分に押し付けて接着させることで、図８に示すように、密封された３つ折り封書を作成させる。
その後、この３つ折り封書を郵便ポストに投函するなどして郵送する。
【００３８】
次に、３つ折り封書の受取人は、図９に示すように、３つ折り封書を開封する際に、３つ折り封書の表側の右端部分を捲り上げることで、第２紙片部２ｂの２本の切り込み線６ｂ，６ｃの間の部分が捲り上がることで開封される。
また、同様に、３つ折り封書の裏側の左端部分を捲り上げることで、第５紙片部３ｂの２本の切り込み線７ｂ，７ｃの間の部分が捲り上がることで開封される。
【００３９】
上記のように、本発明の３つ折り封書用帳票は、返信用の封書を作成する際に、予め第１のシート状基材及び第２のシート状基材に塗布されている粘着剤を使用することで、封書の作成を行なえるように構成され、また、個人情報が記入される部分が、第１のシート状基材と第２のシート状基材が重ねられた内側の基材に位置する構成を有しているので、顧客が返信用の封書作成用紙片に記入した内容が、外部から認識できない状態で表示でき、更に、葉書を使用した場合よりも多くの情報表示スペースを確保することができるようにものである。
【図面の簡単な説明】
【００４０】
【図１】本発明の実施形態に係る３つ折り封書用帳票を表面側から見た場合の平面図である。
【図２】本発明の実施形態に係る３つ折り封書用帳票を横方向に回転させた裏面側から見た場合の平面図である。
【図３】本発明の実施形態に係る３つ折り封書用帳票を表面側から見た場合であって、第１のシート状基材と第２のシート状基材とを分離させた状態を示す平面図である。
【図４】本発明の実施形態に係る３つ折り封書用帳票を裏面側から見た場合であって、第１のシート状基材と第２のシート状基材とを分離させた状態を示す平面図である。
【図５】図１のＡ−Ａ線断面図である。
【図６】図１のＢ−Ｂ線断面図である。
【図７】本発明の実施形態に係る３つ折り封書用帳票の使用方法を説明する図である。
【図８】本発明の実施形態に係る３つ折り封書用帳票で作成された３つ折り封書を示す斜視図である。
【図９】本発明の実施形態に係る３つ折り封書用帳票で作成された３つ折り封書を開封する状態を示す斜視図である。
【図１０】従来の巻き折り加工用紙の平面図である。
【符号の説明】
【００４１】
１  ３つ折り封書用帳票
２  第１のシート状基材
２ａ  第１紙片部
２ｂ  第２紙片部
２ｃ  第３紙片部
３  第２のシート状基材
３ａ  第４紙片部
３ｂ  第５紙片部
３ｃ  第６紙片部
４ａ，４ｂ，５ａ，５ｂ  切り取りミシン
６ａ  第１の切り込み線
６ｂ  折り畳み線
６ｃ  第２の切り込み線
７ａ  第３の切り込み線
７ｂ  折り畳み線
７ｃ  第４の切り込み線
８，１６，  粘着剤
９，１２，１４，１７，２０，２２  接着剤
１０，１１，１８，１９  剥離可能な擬似接着剤
１３，２１  剥離剤
１５，２３  切り込み線
３０  巻き折り加工用紙
【図１】
2010023263.tif 000003
【図２】
2010023263.tif 000004
【図３】
2010023263.tif 000005
【図４】
2010023263.tif 000006
【図５】
2010023263.tif 000007
【図６】
2010023263.tif 000008
【図７】
2010023263.tif 000009
【図８】
2010023263.tif 000010
【図９】
2010023263.tif 000011
【図１０】
2010023263.tif 000012